(57)【要約】【課題】  簡単な構成であって、風量の損失の少ない、ブロウ効果に優れたヘアードライヤを提供すること、また、ファンからの風を整流することにより、勢いのある快適な風が得られる吐出ノズルを備えたヘアードライヤを提供すること。【解決手段】  熱源１８、ファン２０ａ及び前記ファン２０ａを駆動するモータ１９を内蔵したヘアードライヤ本体１１の先端に吐出ノズル１６を設け、吐出ノズルの内側に整流羽１６ａを設けて熱風発生室１７を通過した風を整流する。吐出ノズル１６の整流羽１６ａは風の吹き出し方向と同軸方向に配列され、熱風発生室１７からの風にひねりを与える形状を有する。また、前記整流羽１６ａは前記熱風発生室１７からの風に前記ファン２０ａの回転方向と反対方向のひねりを与える形状に形成されている。【選択図】  図３
2006075194.tif 000002
【特許請求の範囲】
【請求項１】
熱源、ファン及び前記ファンを駆動するモータを内蔵したヘアードライヤ本体の先端に吐出ノズルを設け、該吐出ノズルの内側に整流羽を設けて熱風発生室を通過した風を整流することを特徴とするヘアードライヤ。
【請求項２】
前記吐出ノズルの整流羽は風の吹き出し方向と同軸方向に配列され、前記熱風発生室からの風にひねりを与える形状を有することを特徴とする請求項１に記載のヘアードライヤ。
【請求項３】
前記整流羽は、前記熱風発生室からの風に前記ファンの回転方向と反対方向のひねりを与える形状に形成されていることを特徴とする請求項２に記載のヘアードライヤ。
【請求項４】
前記吐出ノズルは、その背面は本体外ケースに対応して円形に、正面は扁平な円筒形に形成され、該吐出ノズルの内壁面に設けた複数枚の整流羽は風の吹き出し方向と同軸方向に配列されかつ曲面を有し前記吐出ノズルの内部に突出して形成されていることを特徴とする請求項１に記載のヘアードライヤ。
【発明の詳細な説明】
【技術分野】
【０００１】
本発明は、ヘアードライヤに係り、詳しくはヘアードライヤ本体の先端に設けた吐出ノズルの構造に関するもので、毛髪の乾燥、セットのための勢いのある快適な風が得られるヘアードライヤに関する。
【背景技術】
【０００２】
従来、ヘアードライヤ、ヘアーブロッサあるいはハンドドライヤなどのヘアードライヤ類（以下、単に「へヤードライヤ」という）においては、へヤードライヤ本体の風の吐出口に吐き出される熱風等を絞って毛髪の乾燥、セットを行えるようにその先端部に吐出ノズルを備えている。しかし、単にノズルの開口面積を変化させて熱風等を絞るだけでは、整風された風を得ることはできても、風の流れに損失が生じるため風量が減少し、例えば熱風の温度が過剰に上昇して毛髪をいためるなどの問題があった。例えば吐出ノズルの中に内側ノズルを設けて二重構造とし、これによりノズルの内径を変化させたものもあるが、内側ノズルを絞ると、同様に内側ノズルの下流側部分に風の干渉が生じて、風の流れに損失を生じてしまう。
【０００３】
そこで、ノズルにより風量の減少を抑えながら風速を増加させることで風のエネルギー損失を小さくするものとして、下記特許文献１（特開２００１−２０４５３６号公報）に記載のヘアードライヤがある。これは図５に示すように吐風口５１及び吸込口５２を有するハウジング５３の内部に、ファン５４、モータ５５、整流翼５６及びヒータ５７を具備するヘアードライヤにおいて、吐風口５１のノズル５８を内側ノズル６０と外側ノズル５９とで構成し、内側ノズル６０に上流側から下流側に向かってノズル中心軸Ｘに向かって傾斜する傾斜部６０ｅと傾斜部の６０ｅの下流側において断面形状がノズル中心軸Ｘと略平行に形成された平行部６０ｆとを形成したものがあった。
【特許文献１】特開２００１−２０４５３６号公報（段落［０００５］〜［０００７］、図１、）
【発明の開示】
【発明が解決しようとする課題】
【０００４】
しかしながら、上述の特許文献１の吐出ノズルにおいては、いずれも整風効果はあるが整流効果は得られない。そして、吐出ノズルの中に内側ノズルを設けた二重構造による風量の損失も免れ得ない。
【０００５】
本願の発明者は、前記の問題点を解決すべく種々検討を行った結果、ヘアードライヤの吐出ノズルに着目し、従来扁平な円筒型であった吐出ノズルの内壁に風を整流する羽を形成したところ、ノズルを通して吐き出される風に勢いがつき、快適な風が得られ、ブロウ効果に優れたヘアードライヤが提供できることを見出し、本発明を完成するに至ったものである。
【０００６】
すなわち、本発明は、簡単な構成であって、風量の損失が少ない、ブロウ効果に優れたヘアードライヤを提供することを目的とするものである。
【０００７】
また、本発明は、簡単な構成でファンからの風を整流することにより、勢いのある快適な風が得られる吐出ノズルを備えたヘアードライヤを提供することを目的とするものである。
【課題を解決するための手段】
【０００８】
上記目的を達成するために、請求項１の発明に係るヘアードライヤは、熱源、ファン及び前記ファンを駆動するモータを内蔵したヘアードライヤ本体の先端に吐出ノズルを設け、該吐出ノズルの内側に整流羽を設け熱風発生室を通過した風を整流することを特徴とする。
【０００９】
請求項２の発明に係るヘアードライヤは、請求項１に記載のヘアードライヤにおいて、前記吐出ノズルの整流羽は風の吹き出し方向と同軸方向に配列され、前記熱風発生室からの風にひねりを与える形状を有することを特徴とする。
【００１０】
請求項３の発明に係るヘアードライヤは、請求項２に記載のヘアードライヤにおいて、前記整流羽は、前記熱風発生室からの風に前記ファンの回転方向と反対方向のひねりを与える形状に形成されていることを特徴とする。
【００１１】
請求項４の発明に係るヘアードライヤは、請求項１に記載のヘアードライヤにおいて、前記吐出ノズルは、その背面は本体外ケースに対応して円形に、正面は扁平な円筒形に形成され、該吐出ノズルの内壁面に設けた複数枚の整流羽は風の吹き出し方向と同軸方向に配列されかつ曲面を有し前記吐出ノズルの内部に突出して形成されていることを特徴とする。
【発明の効果】
【００１２】
本願は上記構成を備えることにより、以下に示すような優れた効果を奏する。すなわち、請求項１の発明によれば、ヘアードライヤから排出される風の吹き出し口に吐出ノズルを取り付け、その吐出ノズルの内側に整流羽を設けたことにより、風量の損失が少なく、かつ良好な整流効果を得ることができるようになり、勢いの良い快適な風を排出できるようになる。
【００１３】
また、請求項２の発明によれば、風の吹き出し方向と同軸方向に配列され前記熱風発生室からの風にひねりを与える形状を有する整流羽を設けたことにより、吐出ノズルから吹き出す風に変化を与えることができるので、快適な風が得られる、使いやすいヘアードライヤを提供できる。
【００１４】
また、請求項３の発明によれば、前記整流羽のひねりは、回転方向と同じ方向であれば全く勢いのない風しか得られないが、前記ファンの回転方向と反対方向へのひねりを形成したことにより、勢いのあるブロウに適した快適な風が得られるようになる。
【００１５】
請求項４の発明によれば、前記吐出ノズルは、その背面は本体外ケースに対応して円形に、正面は扁平な円筒形に形成され、該ノズルの内壁面に設けた複数枚の整流羽は風の吹き出し方向と同軸方向に配列されかつ曲面を有し吐出ノズルの内部に突出して形成されているので、簡単な構成で風量の損失が少なく、しかもファンからの風を絞ってさらに整流するので勢いの良い風を送り出すことができ、快適に毛髪の乾燥、セットを行うことができるヘアードライヤを提供できる。
【発明を実施するための最良の形態】
【００１６】
以下、図面を参照して、本発明の最良の実施形態を説明する。但し、以下に示す実施形態は、本発明の技術思想を具体化するためのヘアードライヤを例示するものであって、本発明をこのヘアードライヤに特定することを意図するものではなく、特許請求の範囲に含まれるその他の実施形態のものにも等しく適用し得るものである。
【実施例】
【００１７】
図１は本発明に係るヘアードライヤの一実施例の側断面図であり、図２は図１のヘアードライヤの本体主要部の分解斜視図であり、図３はヘアードライヤの吐出ノズルの構造を示す図であり、図３（ａ）は背面図、図３（ｂ）は平面図、図３（ｃ）は正面図、図４は吐出ノズルの背後から見た内部を示す斜視図である。
【００１８】
図１のヘアードライヤ１は、筒型をした本体１１とこの本体１１の下面の後端部近くに取り付けられたハンドル１２を備えてなる。ハンドル１２は、外ケース１３の下面から突出した連結部を支点にして軸支され、折りたたみ可能に本体１１に取り付けられている。また、ハンドル１２には電源スイッチ１４が設けてある。
【００１９】
ヘアードライヤ１の外ケース１３は、前の部分１３ａと後の部分１３ｂ、後部カバー１５と吐出ノズル１６から構成されている。外ケースの前の部分１３ａと後の部分１３ｂ及び吐出ノズル１６はポリカーボネートや耐熱性ＡＢＳ樹脂等の耐熱性透明プラスチックスの成型品により構成される。図２に示すように外ケース１３は２つの部分からなり、前の部分１３ａは縦断面の輪郭が前方に向け先細になった略円筒形である。後の部分１３ｂは、短い円筒状で前の部分１３ａに突き合わせて接合されている。本体１１の後端、すなわち外ケースの後の部分１３ｂの後端は外気を導入するための複数の孔を設けた吸気口であり、多数の蜂の巣状の孔を備えた金属板が円形ドーム形状をなして取り付けられた後部カバー１５である。外ケースの前の部分１３ａの前端開口部は風の吹き出し口となっており、この前端開口部には吐出ノズル１６が回転自在に取り付けられている。
【００２０】
この本体１１の外ケース１３の内部には、図１に示すように、熱風発生室１７を配置している。すなわち、円筒形に形成された熱風発生室１７は、その外壁１７ａの中に絶縁外筒１７ｂが配置され、熱風発生室１７の先端の外部へ熱風を吹き出す位置に吹き出し口グリル２１が取り付けられ、絶縁外筒１７ｂの内部にニクロム線などの熱源１８を、さらに熱源の後方には風を送るファンモータ１９を収納し、その後に送風室２０を設け、モータ１９に連結されたファン２０ａを設けている。送風室２０はファン２０ａにより、後部カバー１５の吸気口から取り込んだ空気を熱風発生室１７に送りこむ。
【００２１】
図２に示すように、熱風発生室１７には複数枚の放熱板２２が、モータ１９を収納する絶縁筒２３から前部にかけて放射状に等間隔でヘアードライヤ本体１１の軸方向に配置して設けられ、各放熱板２２の外縁をつなぐようにニクロム線など（図示せず）が巻かれている。モータ１９に連結された送風室２０内のファン２０ａの風は、放熱板２２の間を前方の吐出ノズル１６に向かって送られる。
【００２２】
アルミニウム、亜鉛鍍鋼板、ステンレススチールなどで作られた熱風発生室１７の外壁１７ａは、例えば図１に縦断面を示し、図２に斜視図で外観を示したように、熱風発生室１７の縦方向に対して直角な複数の波形の凹凸を持つように成形され、その外面は反射が良好になるよう研磨、めっき等の処理がなされている。図においては、波型は３つの山を持つよう成形されているが、その数は限定されるものではない。しかしながら、陰影を作る関係からは凹が２個、凸が３個程度が好ましいようである。そして波型の凹凸は吸気側においては空気の流路が大きくなるように、その内径が大きい凸型から形成される。こうようになせば、外壁１７ａにより空気の円滑な流入を妨げることがなくなる。外壁１７ａをこのような構成とし、更に本体１１の外ケース１３を透明又は半透明とすることにより、熱風発生室１７の外壁１７ａの波形の凹凸による陰影が外ケース１３を透かして見ると、外ケース１３を透過した光が壁に当たって反射し、見る位置によって変化してさまざまな模様を作り出すので、美観を有するヘアードライヤが得られる。
【００２３】
また、熱風発生室１７の外壁１７ａの波形の凹凸により外ケース１３との間に空間を生じ、そこに空気層を確保できるので遮熱効果を向上させることができるようになる。ただし、本発明においてはここで述べた外壁１７ａの形状に限定することなく、例えば、凹凸のない外壁を有するものであってもよい。
【００２４】
熱風発生室１７に、放熱板２２と熱源１８、モータ１９、送風室２０にファン２０ａなどを組み込み、さらに本体１１の外ケース１３にこれらの構成要素を組み込むにあたって、外ケースの前の部分１３ａに外ケースの後の部分１３ｂを突合せ接合する工程においては、前の部分１３ａの内部に熱源１８とモータ１９とを前後に配して収納するが、この収納に際しては、あらかじめこれら熱源１８及びモータ１９に、絶縁外筒１７ｂとアルミニウムやステンレススチールなどのような熱線を反射しやすい光沢や明色性に優れる金属製であって遮熱手段となる熱風発生室の外壁１７ａにより覆い、外ケース１３の後の部分１３ｂに送風室２０を収め、その上で前の部分１３ａの後方から熱風発生室１７ごと外ケースの前の部分１３ａに挿入する。
【００２５】
この場合、モータ１９に連結されたファン２０ａは、熱風発生室１７の後側に配置される送風室２０のファン保持筒に嵌め合わされる。そしてモータ１９は、前端部が熱風発生室１７の内部に配置される熱源保持用の形状に形成した絶縁筒２３の内部に嵌め合わされている。その絶縁筒２３の外周から放射状に張り出した複数の放熱板２２の外周に熱源のヒータが巻きつけられている。またヒータの外周は放熱板２２同士をつなぐように絶縁筒２３と同心円状に一体化されたマイカシートのような絶縁外筒１７ｂに囲まれ、この絶縁外筒１７ｂが熱風発生室の外壁１７ａの内面に挿入され嵌め合わされている。
【００２６】
次に、吐出ノズル１６について図１〜図４を参照して説明する。
【００２７】
図１と図２に示すように外ケース１３の先端に回転自在に嵌めこまれる吐出ノズル１６は、その背面は取り付けられる本体外ケース１３ａに対応して円形に、正面は吹き出す風を絞るように扁平な楕円形などに変形して形成される。なお、図３（ａ）の点線は、ドライヤ本体の先端から吐出ノズル１６内に突出するイオン発生のための放電装置１６ｃを示している。
【００２８】
本発明に係るヘアードライヤの吐出ノズル１６は、その内壁面に複数の整流羽１６ａを設けており、この整流羽１６ａは、実施例では６枚の大小の整流羽１６ａが風の吹き出し方向と同軸方向に配列され、かつその断面は曲線的に形成され、更に前記整流羽１６ａは曲面１６ｂを有し、熱風発生室１７からの風にひねりを与えるような形状で吐出ノズル１６の内部に突出している。この整流羽１６ａのひねりの方向は、送風ファン２０ａの回転方向とは反対方向へのひねりであり、これによって吐出ノズル１６から整流羽１６ａで矯正された勢いのあるブロウに適した快適な風が得られる。ちなみに、整流羽１６ａのひねりがファンの回転方向と同じ方向であれば全く勢いのない風しか得られない。
【００２９】
このように、整流羽１６ａが風の吹き出し方向と同軸方向に配列されかつその曲面により熱風発生室１７からの風にひねりを与えることにより整流効果が得られ、吐出ノズル１６から吹き出す風に勢いを与えることができるので、快適な風が得られ、毛髪の乾燥やセットが容易に行える使いやすいヘアードライヤを提供できる。さらに、吐出ノズル１６を回転させることにより、吐出ノズル１６から吹き出す風に変化を与えることもできる。
【００３０】
本発明においては、吐出ノズルの整流羽１６ａの数は特に限定されるものではない。しかしながら、あまりに少ないと変化に乏しく、多いと風量の損失が出るので、複数枚で所望の効果のある数を選べばよい。また、一種類の大きさの羽だけでなく二種類以上の大きさの羽を混ぜてもよく、それによって整流にさらに変化が与えられる。
【００３１】
更にこの整流羽１６ａは吐出ノズル１６と同様の材料からなり、かつ吐出ノズル１６と一体に成形されており、前記材料としては、耐熱性プラスチック材が好ましい。
【００３２】
本発明のヘアードライヤにおいては、上記実施例に記載の構造に限定されることなく整流羽を風にひねりを与える他の形態に設計することは容易であり、変形は自由である。
【００３３】
また上述の実施例では、電熱式のヘアードライヤについて説明したが、本発明の吐出ノズルは電熱式に限らず、例えばガス燃焼方式のヘアードライヤにも適用できることは問う業者にとり自明であろう。
【図面の簡単な説明】
【００３４】
【図１】図１は本発明に係るヘアードライヤの一実施例の側断面図である。
【図２】図２は図１のヘアードライヤの本体主要部の分解斜視図である。
【図３】図３はヘアードライヤの吐出ノズルの構造を図であり、図３（ａ）は背面図、図３（ｂ）は平面図、図３（ｃ）は正面図である。
【図４】図４は吐出ノズルの背後から見た内部を示す斜視図である。
【図５】図５は従来のヘアードライヤの構成を示す側面図である。
【符号の説明】
【００３５】
１      ヘアードライヤ
１１      本体
１２      ハンドル
１３      外ケース
１４      電源スイッチ
１５      後部カバー
１６      吐出ノズル
１７      熱風発生室
１７ａ    熱風発生室の外壁
１７ｂ    絶縁外筒
１８      熱源
１９      ファンモータ
２０      送風室
２０ａ    ファン
２１      吹き出しグリル
２２      放熱板
２３      絶縁筒
【図１】
2006075194.tif 000003
【図２】
2006075194.tif 000004
【図３】
2006075194.tif 000005
【図４】
2006075194.tif 000006
【図５】
2006075194.tif 000007